【手続補正書】
【提出日】平成17年2月17日(2005.2.17)
【手続補正１】
【補正対象書類名】明細書
【補正対象項目名】特許請求の範囲
【補正方法】変更
【補正の内容】
【特許請求の範囲】
【請求項１】
複数の半導体電極が形成された半導体部と複数の基板電極が形成された回路基板とを、前記複数の半導体電極と前記複数の基板電極との間を対向させて電気的に接続した半導体装置を製造する方法であって、
前記半導体部および前記回路基板の一方を、絶縁性材料からなる中間接続体に接着する第１の接着工程と、
前記複数の半導体電極の位置、および、前記複数の基板電極の位置に応じて、前記中間接続体に複数の貫通孔を形成する工程と、
前記複数の半導体電極の位置、および、前記複数の基板電極の位置に応じて、前記複数の半導体電極および前記複数の基板電極のうち少なくとも前記中間接続体と接着されていない側の電極上に複数のバンプを形成する工程と、
前記第1の接着工程と前記複数の貫通孔を形成する工程および前記複数のバンプを形成する工程を経た後に、前記複数のバンプを前記複数の貫通孔内に埋没させて各貫通孔を介して、各半導体電極と各基板電極とを電気的に接続する工程と、
前記電気的に接続する工程と同時もしくは該工程の後に、前記半導体部および前記回路基板の他方を、前記中間接続体に接着する第２の接着工程と
を含む、半導体装置の製造方法。
【請求項２】
電気的に接続する前記工程は、
前記各貫通孔に導電性ペーストを充填する工程と、
前記各バンプを前記各貫通孔内の前記導電性ペーストに埋没させて、前記複数のバンプ、および、前記導電性ペーストを介して、各半導体電極と各基板電極とを電気的に接続する工程と
を含む、請求項１に記載の半導体装置の製造方法。
【請求項３】
複数の貫通孔を形成する前記工程は、
前記複数の半導体電極の位置、および、前記複数の基板電極の位置の少なくとも一方を測定して、位置データを取得する工程と、
測定した前記位置データに基づいて、前記中間接続体上の複数の位置を特定する工程と、
特定された前記中間接続体上の各位置に、前記各貫通孔を形成する工程と
を含む、請求項１に記載の半導体装置の製造方法。
【請求項４】
前記複数の半導体電極、および、前記複数の基板電極の各々は、樹脂を含む被膜が表面に形成された金属層であり、
複数の貫通孔を形成する前記工程は、前記被膜を除去して、前記金属層を露出させる、請求項２に記載の半導体装置の製造方法。
【請求項５】
複数の貫通孔を形成する前記工程は、前記導電性ペーストを注入する側の開口径が貫通孔の底部の開口径より大きく壁面を傾斜させて前記各貫通孔を形成する、請求項２に記載の半導体装置の製造方法。
【請求項６】
導電性ペーストを充填する前記工程は、
前記各貫通孔の底部から開口部まで、前記導電性ペーストを注入する工程と、
前記開口部から、所定量の前記導電性ペーストを掻き取る工程と
を含む、請求項２に記載の半導体装置の製造方法。
【請求項７】
導電性ペーストを注入する前記工程は、導電性ペーストに圧力を加えて吐出させ、前記各貫通孔の底部から開口部まで注入する、請求項６に記載された半導体装置の製造方法。
【請求項８】
前記第１の接着工程、および、前記第２の接着工程は、加圧により前記中間接続体を前記半導体部および前記回路基板に密着させ、前記各貫通孔を封鎖する、請求項１に記載の半導体装置の製造方法。
【請求項９】
前記第１の接着工程、および、前記第２の接着工程は、加圧により前記中間接続体を前記半導体部および前記回路基板に密着させ、前記各貫通孔を封鎖する工程を含み、
前記導電性ペーストは、導電性の粒子と、非導電性の樹脂とを含有し、
前記各貫通孔を封鎖する工程は、
前記非導電性の樹脂のみが流出する隙間を、前記中間接続体と、前記半導体部および前記回路基板の少なくとも一方との界面に設ける工程と、
加圧により前記導電性ペーストを緻密化して、前記非導電性の樹脂を各貫通孔から流出させる工程と、
前記導電性の粒子が残った前記各貫通孔を封鎖する工程とをさらに含む、請求項２に記載の半導体装置の製造方法。
【請求項１０】
前記中間接続体は、加圧により収縮する材料をさらに含み、
前記第１の接着工程、および、前記第２の接着工程は、加圧により前記中間接続体を収縮させ、前記導電性ペーストを緻密化させる、請求項２に記載の半導体装置の製造方法。
【請求項１１】
前記中間接続体は、熱硬化性樹脂をさらに含み、前記第１の接着工程は、加熱により、熱硬化性樹脂が含まれた前記中間接続体の一部を硬化させて、前記半導体部および前記回路基板の一方を、前記中間接続体に接着する、請求項１に記載の半導体装置の製造方法。
【請求項１２】
前記第２の接着工程は、加熱により前記中間接続体を硬化させて、前記半導体部および前記回路基板と、前記中間接続体とを接着する、請求項１１に記載の半導体装置の製造方法。
【請求項１３】
導電性ペーストを注入する前記工程は、各貫通孔の容積から埋没させる各バンプの容積を減じた分量以上、かつ、各貫通孔の容量以下の分量の前記導電性ペーストを圧力を加えて吐出させる、請求項２に記載された半導体装置の製造方法。
【請求項１４】
複数の半導体電極を有する半導体部と、
複数の基板電極を有する回路基板と、
前記半導体部および前記回路基板に接着されて挟持され、絶縁性材料からなる中間接続体であって、導電性ペーストが充填された複数の貫通孔を有し、各貫通孔内の前記導電性ペーストを介して、各半導体電極と各基板電極とを電気的に接続する中間接続体と
を有する半導体装置であって、
前記各半導体電極、および前記各基板電極は、樹脂を含む被膜が表面に形成された金属層であり、前記各貫通孔内では前記被膜が除去されて、前記導電性ペーストと接している、半導体装置。
【請求項１５】
複数の半導体電極を有する半導体部と、
複数の基板電極を有する回路基板と、
前記半導体部および前記回路基板に接着されて挟持され、絶縁性材料からなる中間接続体であって、導電性ペーストが充填され、かつ、導電性ペーストが注入された側の開口径が低部の開口径より大きく壁面が傾斜した複数の貫通孔を有し、各貫通孔内の前記導電性ペーストを介して、各半導体電極と各基板電極とを電気的に接続する中間接続体と
を有する半導体装置であって、
前記複数の半導体電極、および、前記複数の基板電極の少なくとも一方に複数のバンプが形成されており、
前記複数のバンプが、対応する前記貫通孔に、開口径の大きい側から前記導電性ペーストに埋設されて各半導体電極と各基板電極とを電気的に接続している半導体装置。
【請求項１６】
前記複数のバンプの各々は、２段突起形状である、請求項１５に記載の半導体装置。
【手続補正２】
【補正対象書類名】明細書
【補正対象項目名】００１２
【補正方法】変更
【補正の内容】
【００１２】
【課題を解決するための手段】
本発明による、半導体部と回路基板とを電気的に接続した半導体装置を製造する方法は、複数の半導体電極が形成された半導体部と複数の基板電極が形成された回路基板とを、前記複数の半導体電極と前記複数の基板電極との間を対向させて電気的に接続した半導体装置を製造する方法であって、
前記半導体部および前記回路基板の一方を、絶縁性材料からなる中間接続体に接着する第１の接着工程と、
前記複数の半導体電極の位置、および、前記複数の基板電極の位置に応じて、前記中間接続体に複数の貫通孔を形成する工程と、
前記複数の半導体電極の位置、および、前記複数の基板電極の位置に応じて、前記複数の半導体電極および前記複数の基板電極のうち少なくとも前記中間接続体と接着されていない側の電極上に複数のバンプを形成する工程と、
前記第1の接着工程と前記複数の貫通孔を形成する工程および前記複数のバンプを形成する工程を経た後に、前記複数のバンプを前記複数の貫通孔内に埋没させて各貫通孔を介して、各半導体電極と各基板電極とを電気的に接続する工程と、
前記電気的に接続する工程と同時もしくは該工程の後に、前記半導体部および前記回路基板の他方を、前記中間接続体に接着する第２の接着工程とを含む。これにより上記目的が達成される。
【手続補正３】
【補正対象書類名】明細書
【補正対象項目名】００１３
【補正方法】変更
【補正の内容】
【００１３】
電気的に接続する前記工程は、
前記各貫通孔に導電性ペーストを充填する工程と、
前記各バンプを前記各貫通孔内の前記導電性ペーストに埋没させて、前記複数のバンプ、および、前記導電性ペーストを介して、各半導体電極と各基板電極とを電気的に接続する工程と
を含んでいてもよい。
【手続補正４】
【補正対象書類名】明細書
【補正対象項目名】００１６
【補正方法】変更
【補正の内容】
【００１６】
複数の貫通孔を形成する前記工程は、前記導電性ペーストを注入する側の開口径が貫通孔の底部の開口径より大きく壁面を傾斜させて前記各貫通孔を形成してもよい。
【手続補正５】
【補正対象書類名】明細書
【補正対象項目名】００２０
【補正方法】変更
【補正の内容】
【００２０】
前記第１の接着工程、および、前記第２の接着工程は、加圧により前記中間接続体を前記半導体部および前記回路基板に密着させ、前記各貫通孔を封鎖する工程を含み、
前記導電性ペーストは、導電性の粒子と、非導電性の樹脂とを含有し、前記各貫通孔を封鎖する工程は、前記非導電性の樹脂のみが流出する隙間を、前記中間接続体と、前記半導体部および前記回路基板の少なくとも一方との界面に設ける工程と、加圧により前記導電性ペーストを緻密化して、前記非導電性の樹脂を各貫通孔から流出させる工程と、前記導電性の粒子が残った前記各貫通孔を封鎖する工程とをさらに含んでいてもよい。
【手続補正６】
【補正対象書類名】明細書
【補正対象項目名】００２５
【補正方法】変更
【補正の内容】
【００２５】
本発明による半導体装置は、複数の半導体電極を有する半導体部と、
複数の基板電極を有する回路基板と、
前記半導体部および前記回路基板に接着されて挟持され、絶縁性材料からなる中間接続体であって、導電性ペーストが充填され、かつ、導電性ペーストが注入された側の開口径が低部の開口径より大きく壁面が傾斜した複数の貫通孔を有し、各貫通孔内の前記導電性ペーストを介して、各半導体電極と各基板電極とを電気的に接続する中間接続体と
を有する半導体装置であって、
前記複数の半導体電極、および、前記複数の基板電極の少なくとも一方に複数のバンプが形成されており、
前記複数のバンプが、対応する前記貫通孔に、開口径の大きい側から前記導電性ペーストに埋設されて各半導体電極と各基板電極とを電気的に接続している。これにより上記目的が達成される。
なお、前記複数のバンプの各々は、２段突起形状であってもよい。